(57)【要約】【課題】ＤＩＣＯＭ規格に係わる通信設定の手間の削減を可能とする。【解決手段】ＡＥタイトル生成部１６は、ＤＩＣＯＭ規格でデータ通信するために必要なＡＥタイトルを、ＩＰアドレス、ネットワークインタフェースカード識別情報、及びＤＩＣＯＭインスタンスＵＩＤの少なくとも１つに基づいて生成する。【選択図】      図２
2010119503.tif 000002
【特許請求の範囲】
【請求項１】
ＤＩＣＯＭ規格でデータ通信するために必要なＡＥタイトルを、ＩＰアドレス、ネットワークインタフェースカード識別情報、及びＤＩＣＯＭインスタンスＵＩＤの少なくとも１つに基づいて生成するＡＥタイトル生成部を具備する医用通信装置。
【請求項２】
前記ＡＥタイトル生成部は、前記ＩＰアドレス、前記ネットワークインタフェースカード識別情報、及び前記ＤＩＣＯＭインスタンスＵＩＤの少なくとも１つと、医用施設名、装置種別情報、組織識別情報、ベンダ識別情報、及びサービスクラス情報の少なくとも１つと、連番とを組み合わせて前記ＡＥタイトルを生成する請求項１記載の医用通信装置。
【請求項３】
ＤＩＣＯＭ規格でデータ通信するために必要なＡＥタイトルを、ＩＰアドレス、ネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバの少なくとも２つに基づいて生成するＡＥタイトル生成部を具備する医用通信装置。
【請求項４】
ネットワークを介してＤＩＣＯＭ規格でデータ通信する複数の医用通信装置の通信設定を行なう医用通信設定装置であって、
前記複数の医用通信装置のうちの特定の医用通信装置に関するＩＰアドレス、ネットワークインタフェースカード識別情報、ＤＩＣＯＭインスタンスＵＩＤの少なくとも１つの情報を入力する入力部と、
前記入力された少なくとも１つの情報に基づいて前記特定の医用通信装置のＡＥタイトルを生成するＡＥタイトル生成部と、
前記生成されたＡＥタイトルを前記特定の医用通信装置に設定する通信設定部と、
を具備する医用通信設定装置。
【請求項５】
ネットワークを介してＤＩＣＯＭ規格でデータ通信する複数の医用通信装置の通信設定を行なう医用通信設定装置であって、
前記複数の医用通信装置のうちの特定の医用通信装置に関するＩＰアドレス、ネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバの少なくとも２つの情報を入力する入力部と、
前記入力された少なくとも２つの情報に基づいて前記特定の医用通信装置のＡＥタイトルを生成するＡＥタイトル生成部と、
前記生成されたＡＥタイトルを前記特定の医用通信装置に設定する通信設定部と、
を具備する医用通信設定装置。
【発明の詳細な説明】
【技術分野】
【０００１】
本発明は、ネットワークを介してＤＩＣＯＭ規格でデータ通信する医用通信装置、及びその通信設定を行なう医用通信設定装置に関する。
【背景技術】
【０００２】
近年、医用通信装置は、ネットワークを介してＤＩＣＯＭ（Digital Imaging and Communications in Medicine）規格でデータ通信している。ＤＩＣＯＭ規格でデータ通信する場合、各医用通信装置は、各医用通信装置を一意に特定するためのＡＥ（Application Entity）タイトルを有さなければならない。
【０００３】
近年、ＥＨＲ（Enterprise Health care Record）の進展に伴い、異なる医用施設間のＤＩＣＯＭ通信が期待されている。しかし、各医用施設が個別にＡＥタイトルを生成しているので、異なる医用施設間でＤＩＣＯＭ通信すると、ＡＥタイトル名の衝突等が発生する可能性がある。そのため、ネットワークに新たな医用通信装置が追加されるごとに、このネットワークに接続された全ての医用通信装置のＡＥタイトルの整合性と単一性とを再検証しなければならない。従って、ＤＩＣＯＭ通信するための通信設定の効率がとても悪い。
【発明の開示】
【発明が解決しようとする課題】
【０００４】
本発明の目的は、ＤＩＣＯＭ規格に係わる通信設定の手間の削減を可能とする医用通信装置、及び医用通信設定装置を提供することにある。
【課題を解決するための手段】
【０００５】
本発明の第１局面に係る医用通信装置は、ＤＩＣＯＭ規格でデータ通信するために必要なＡＥタイトルを、ＩＰアドレス、ネットワークインタフェースカード識別情報、及びＤＩＣＯＭインスタンスＵＩＤの少なくとも１つに基づいて生成するＡＥタイトル生成部を具備する。
【０００６】
本発明の第２局面に係る医用通信装置は、ＤＩＣＯＭ規格でデータ通信するために必要なＡＥタイトルを、ＩＰアドレス、ネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバの少なくとも２つに基づいて生成するＡＥタイトル生成部を具備する。
【０００７】
本発明の第３局面に係る医用通信設定装置は、ネットワークを介してＤＩＣＯＭ規格でデータ通信する複数の医用通信装置の通信設定を行なう医用通信設定装置であって、前記複数の医用通信装置のうちの特定の医用通信装置に関するＩＰアドレス、ネットワークインタフェースカード識別情報、ＤＩＣＯＭインスタンスＵＩＤの少なくとも１つの情報を入力する入力部と、前記入力された少なくとも１つの情報に基づいて前記特定の医用通信装置のＡＥタイトルを生成するＡＥタイトル生成部と、前記生成されたＡＥタイトルを前記特定の医用通信装置に設定する通信設定部と、を具備する。
【０００８】
本発明の第４局面に係る医用通信設定装置は、ネットワークを介してＤＩＣＯＭ規格でデータ通信する複数の医用通信装置の通信設定を行なう医用通信設定装置であって、前記複数の医用通信装置のうちの特定の医用通信装置に関するＩＰアドレス、ネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバの少なくとも２つの情報を入力する入力部と、前記入力された少なくとも２つの情報に基づいて前記特定の医用通信装置のＡＥタイトルを生成するＡＥタイトル生成部と、前記生成されたＡＥタイトルを前記特定の医用通信装置に設定する通信設定部と、を具備する。
【発明の効果】
【０００９】
本発明によれば、ＤＩＣＯＭ規格に係わる通信設定の手間の削減を可能とする医用通信装置、及び医用通信設定装置を提供することが可能となる。
【発明を実施するための最良の形態】
【００１０】
以下、図面を参照しながら本発明の本実施形態に係わる医用通信装置を説明する。
【００１１】
図１は、本実施形態に係わる医用通信装置のネットワークの接続環境を示す図である。図１に示すように、複数の医用施設（医用施設Ａ、医用施設Ｂ、医用施設Ｃ）は、独自の施設内ネットワークを有している。各施設内ネットワークには、複数の医用通信装置が接続されている。例えば、医用施設Ａの施設内ネットワークには、医用画像撮影装置１０―１Ａ、医用画像撮影装置１０―２Ａ、及びＰＡＣＳ（医用画像保管装置）１０―３Ａ等の医用通信装置が接続されている。また、医用施設Ｂの施設内ネットワークには、医用画像撮影装置１０―１Ｂ、ＤＩＣＯＭ（Digital Imaging and Communications in Medicine）プリンタ１０―２Ｂ、及びＰＡＣＳ１０―３Ｂ等の医用通信装置が接続されている。また、医用施設Ｃの施設内ネットワークには、医用画像撮影装置１０―１Ｃ、医用画像撮影装置１０―２Ｃ、及びＲＩＳ（放射線科受付システム）１０―３Ｃ等の医用通信装置が接続されている。ここで、医用画像撮影装置は、Ｘ線テレビ装置、Ｘ線一般撮影装置、マンモグラフィ装置、外科用Ｘ線装置、集団検診用Ｘ線システム、Ｘ線コンピュータ断層撮影装置、核磁気共鳴画像診断装置、超音波診断装置、及び核医学診断システム等である。
【００１２】
以下、特に区別しない時は、医用画像撮影装置１０―１Ａ，１０―２Ａ，１０―１Ｂ，１０―１Ｃ，１０―２Ｃ、ＤＩＣＯＭプリンタ１０―２Ｂ、ＰＡＣＳ１０―３Ａ，ＰＡＣＳ１０―３Ａ，１０―３Ｂ、及びＲＩＳ１０―３Ｃをまとめて医用通信装置１０と呼ぶことにする。
【００１３】
これら医用通信装置１０は、施設内ネットワークを介して同一施設における他の医用通信装置１０とデータ通信したり、施設外ネットワークを介して他の医用施設における他の医用通信装置１０とデータ通信したりする。
【００１４】
よく知られているように、医用業務に係わるデータ通信の規格に、ＤＩＣＯＭ規格がある。このＤＩＣＯＭ規格は、現在の医用業務のデータ通信の規格の主流となっている。ＤＩＣＯＭ規格でデータ通信する際は、ＡＥ（Application Entity）タイトルが必須である。ＡＥとは、ＤＩＣＯＭ通信を行なうアプリケーションの実体である。ＡＥタイトルは、ＡＥを一意に識別するために付される名称である。ＡＥタイトルは、通信を行なう医用施設間で単一でなくてはならない。
【００１５】
本実施形態に係わる医用通信装置１０は、自装置を特定するための装置特定情報に基づいて、施設内及び施設外において単一性を有するＡＥタイトルを効率的且つ簡便に生成する。以下、本実施形態に係わる医用通信装置１０の構成について説明する。
【００１６】
図２は、医用通信装置１０の構成を示す図である。図２に示すように、医用通信装置１０は、表示部１２、入力部１４、ＡＥタイトル生成部１６、通信設定部１８、通信設定情報記憶部２０、及びＤＩＣＯＭ通信部２２を有する。
【００１７】
表示部１２は、通信設定をするための通信設定画面を表示する。この通信設定画面は、ＤＩＣＯＭ規格でデータ通信するために必要な自装置の通信設定情報（自装置のＩＰアドレス、自装置のＡＥタイトル、ポート番号）を入力したり、表示したりする画面である。また、通信設定画面は、ＡＥタイトルを生成するための装置特定情報の入力画面としても機能する。
【００１８】
入力部１４は、操作者からの指示に応じて自装置の装置特定情報の文字列データを入力する。装置特定情報としては、ＩＰアドレス、ネットワークインタフェースカード識別情報、ＤＩＣＯＭインスタンスＵＩＤ、医用装置種別情報、医用施設名、組織識別情報、ベンダ識別情報、サービスクラス情報（ＳＯＰ（Service Object Pair）クラスＵＩＤ）、診療科情報、モダリティ種別情報、及び装置シリアルナンバ等がある。また、入力部１４は、操作者からのＡＥタイトル生成指示を受け付ける。入力部１４としては、マウスやトラックボールなどのポインティングデバイス、モード切替スイッチ等の選択デバイス、あるいはキーボード等の入力デバイスが適宜利用可能である。
【００１９】
ＡＥタイトル生成部１６は、予め設定されたルールに従って装置特定情報からＡＥタイトルを生成する。例えば、ＡＥタイトル生成部１６は、ＩＰアドレス、ネットワークインタフェースカード識別情報、及びＤＩＣＯＭインスタンスＵＩＤの少なくとも１つに基づいてＡＥタイトルを生成する。さらに具体的には、ＡＥタイトル生成部１６は、ＩＰアドレス、ネットワークインタフェースカード識別情報、及びＤＩＣＯＭインスタンスＵＩＤの少なくとも１つと、装置種別情報と、連番とを組み合わせてＡＥタイトルを生成してもよい。また、ＡＥタイトル生成部１６は、ＩＰアドレス、ネットワークインタフェースカード識別情報、及びＤＩＣＯＭインスタンスＵＩＤの少なくとも１つと、医用施設名と、連番とを組み合わせてＡＥタイトルを生成してもよい。また、ＡＥタイトル生成部１６は、ＩＰアドレス、ネットワークインタフェースカード識別情報、及びＤＩＣＯＭインスタンスＵＩＤの少なくとも１つと、医用施設名、装置種別情報、組織識別情報、ベンダ識別情報、及びサービスクラス情報の少なくとも１つと、連番とを組み合わせてＡＥタイトルを生成してもよい。また、ＡＥタイトル生成部１６は、ＩＰアドレス、ネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバの少なくとも２つに基づいてＡＥタイトルを生成してもよい。
【００２０】
通信設定部１８は、生成されたＡＥタイトルを自装置の通信設定情報に設定したり、通信設定情報を更新したりする。ＤＩＣＯＭ通信に係わる通信設定には、少なくともＩＰアドレス、ＡＥタイトル、及びポート番号が必要である。通信設定情報記憶部２０は、自装置や通信相手に関する通信設定情報を記憶する。ＤＩＣＯＭ通信部２２は、通信設定情報記憶部２０に記憶されている通信設定情報を読み出して、施設内ネットワーク又は施設外ネットワークを介して他の医用通信装置とＤＩＣＯＭ規格でデータ通信する。
【００２１】
次に、ＡＥタイトル生成部１６によるＡＥタイトルの生成例を示す。ＡＥタイトル生成のルールは、大きく分けて、例えば、（１）ＩＰアドレスを利用、（２）ネットワークインタフェースカード識別情報を利用、（３）ＤＩＣＯＭインスタンスＵＩＤの装置識別部を利用、及び（４）医療施設名、組織識別情報、ベンダ識別情報、モダリティ種別情報、サービスクラス、及び連番を利用、の４つのパターンがある。以下、各パターンについて具体例を挙げて説明する。
【００２２】
（１）ＩＰアドレスを利用
（１−１）ＩＰアドレスをそのまま利用  
ＡＥタイトル生成部１６は、入力部１４から入力されたＩＰアドレスの文字列のデータをそのままＡＥタイトルの文字列のデータとして出力する。このルールの場合、ＩＰアドレスとＡＥタイトルとは、例えば、以下の通りである。なお、文字列とは、数字や英字、かな文字、漢字、記号等のまとまりを意味する。  
ＩＰアドレス：１２３．１１１．２２２．１２３  
ＡＥタイトル：１２３．１１１．２２２．１２３
（１−２）ＩＰアドレスを１６進数に変換  
ＡＥタイトル生成部１６は、入力部１４から入力されたＩＰアドレスの文字列のデータを１０進数から１６進数に変換して、１６進数で表されたＩＰアドレスの文字列のデータをＡＥタイトルの文字列のデータとして出力する。このルールの場合、ＩＰアドレスとＡＥタイトルとは、例えば、以下の通りである。  
ＩＰアドレス：１２３．１１１．２２２．１２３  
ＡＥタイトル：７Ｂ６ＦＤＥ７Ｆ  
なお、１０進数から１６進数へ変換するとしたが、これに限定されない。例えば、１０進数から２進数や４進数、８進数、３２進数等に変換してもよい。
【００２３】
（１−３）ＩＰアドレスを１６進数に変換し、サービスクラス情報を付加  
ＡＥタイトル生成部１６は、入力部１４から入力されたＩＰアドレスの文字列のデータを１０進数から１６進数で表された文字列のデータに変換する。次に、ＡＥタイトル生成部１６は、この１６進数で表された文字列に、入力部１４から入力されたサービスクラス情報を表す文字列を付加する。そして、ＡＥタイトル生成部１６は、このサービスクラス情報が付された１６進数のＩＰアドレスの文字列のデータをＡＥタイトルの文字列のデータとして出力する。このルールの場合、ＩＰアドレスとサービスクラス情報とＡＥタイトルとは、例えば、以下の通りである。  
ＩＰアドレス：１２３．１１１．２２２．１２３  
サービスクラス情報：Ｓｔｏｒａｇｅ
Storage―ＳＣＵ（Service Class User）―ＡＥタイトル：７Ｂ６ＦＤＥ７Ｆ＿ＳＴ＿ＳＣＵ  
Storage―ＳＣＰ（Service Class Provider）―ＡＥタイトル：７Ｂ６ＦＤＥ７Ｆ＿ＳＴ＿ＳＣＰ  
ＳＣＵは、ＤＩＣＯＭ規格のサービスを使用するＡＥである。Storage―ＳＣＵ―ＡＥタイトルは、データ保存を要求する側のＡＥタイトルである。一方、ＳＣＰは、ＤＩＣＯＭ規格のサービスを提供するＡＥである。Storage―ＳＣＵ―ＡＥタイトルは、データ保存の要求に応答する側のＡＥタイトルである。
【００２４】
（１−４）ＩＰアドレス、医用装置種別情報、及び連番を利用  
ＡＥタイトル生成部１６は、入力部１４から入力されたＩＰアドレスの文字列のデータに、入力部１４から入力された医用装置種別情報を表す文字列のデータを付加する。そして、ＡＥタイトル生成部１６は、この医用装置種別情報が付加されたＩＰアドレスの文字列のデータに数字のデータを付加する。この数字は、連番になっている。すなわち、異なるＡＥタイトルには、異なる数字が付加される。ＡＥタイトル生成部１６は、この医用装置種別情報と連番とが付加されたＩＰアドレスの文字列のデータをＡＥタイトルの文字列のデータとして出力する。このルールの場合、ＩＰアドレスと医用装置種別情報とＡＥタイトルとは、例えば、以下の通りである。  
ＩＰアドレス：１２３．１１１．２２２．１２３  
医用装置種別情報：ＰＡＣＳ  
ＡＥタイトル：１２３．１１１．２２２．１２３＿ＰＡＣＳ＿０１
（１−５）ＩＰアドレス、医用施設名、及び連番を利用  
ＡＥタイトル生成部１６は、入力部１４から入力されたＩＰアドレスの文字列のデータに、入力部１４から入力された医用施設名を表す文字列のデータを付加する。そして、ＡＥタイトル生成部１６は、この医用施設名が付加されたＩＰアドレスの文字列のデータに数字のデータを付加する。この数字は、連番になっている。ＡＥタイトル生成部１６は、この医用施設名と連番とが付加されたＩＰアドレスの文字列のデータをＡＥタイトルの文字列のデータとして出力する。このルールの場合、ＩＰアドレスと医用施設名とＡＥタイトルとは、例えば、以下の通りである。  
ＩＰアドレス：１２３．１１１．２２２．１２３  
医療施設名：ＴＯＣＨＩＧＩ  
医用装置種別情報：ＰＡＣＳ  
ＡＥタイトル：１２３．１１１．２２２．１２３＿ＴＯＣＨＩＧＩ＿０１
（１−６）ＩＰアドレス、組織識別情報、及び連番を利用  
ＡＥタイトル生成部１６は、入力部１４から入力されたＩＰアドレスの文字列のデータに、入力部１４から入力された組織識別情報を表す文字列のデータを付加する。そして、ＡＥタイトル生成部１６は、この組織識別情報が付加されたＩＰアドレスの文字列のデータに数字のデータを付加する。この数字は、連番になっている。ＡＥタイトル生成部１６は、この組織識別情報と連番とが付加されたＩＰアドレスの文字列のデータをＡＥタイトルの文字列のデータとして出力する。このルールの場合、ＩＰアドレスと組織識別情報とＡＥタイトルとは、例えば、以下の通りである。  
ＩＰアドレス：１２３．１１１．２２２．１２３  
組織識別情報：Ｒａｄ  
ＡＥタイトル：１２３．１１１．２２２．１２３＿Ｒａｄ＿０１
（１−７）ＩＰアドレス、ベンダ識別情報、及び連番を利用  
ＡＥタイトル生成部１６は、入力部１４から入力されたＩＰアドレスの文字列のデータに、入力部１４から入力されたベンダ識別情報を表す文字列のデータを付加する。そして、ＡＥタイトル生成部１６は、このベンダ識別情報が付加されたＩＰアドレスの文字列のデータに数字のデータを付加する。この数字は、連番になっている。ＡＥタイトル生成部１６は、このベンダ識別情報と連番とが付加されたＩＰアドレスの文字列のデータをＡＥタイトルの文字列のデータとして出力する。このルールの場合、ＩＰアドレスとベンダ識別情報とＡＥタイトルとは、例えば、以下の通りである。  
ＩＰアドレス：１２３．１１１．２２２．１２３  
ベンダ識別情報：Ｖｅｎｄｏｒ  
ＡＥタイトル：１２３．１１１．２２２．１２３＿Ｖｅｎｄｏｒ＿０１
（２）ネットワークインタフェースカード識別情報（例えばＭＡＣアドレス）を利用  
（２―１）ＭＡＣアドレスをそのまま利用  
ＡＥタイトル生成部１６は、入力部１４から入力されたＭＡＣアドレスの文字列のデータをそのままＡＥタイトルの文字列のデータとして出力する。このルールの場合、ＭＡＣアドレスとＡＥタイトルとは、例えば、以下の通りである。  
ＭＡＣアドレス：００―１６―Ｅ３―ＢＦ―Ｂ７―４Ｅ  
ＡＥタイトル：００―１６―Ｅ３―ＢＦ―Ｂ７―４Ｅ
（２―２）ＭＡＣアドレスにサービスクラス情報を付加  
ＡＥタイトル生成部１６は、入力部１４から入力されたＭＡＣアドレスの文字列のデータにサービスクラス情報の文字列のデータを付加する。ＡＥタイトル生成部１６は、サービスクラス情報の文字列が付加されたＭＡＣアドレスの文字列のデータをＡＥタイトルの文字列のデータとして出力する。このルールの場合、ＭＡＣアドレスとＡＥタイトルとは、例えば、以下の通りである。  
ＭＡＣアドレス：００―１６―Ｅ３―ＢＦ―Ｂ７―４Ｅ  
Storage―ＳＣＵ―ＡＥタイトル：００１６Ｅ３ＢＦＢ７４Ｅ＿ＳＴ＿ＳＣＵ  
Storage―ＳＣＰ―ＡＥタイトル：００１６Ｅ３ＢＦＢ７４Ｅ＿ＳＴ＿ＳＣＰ
（３）ＤＩＣＯＭインスタンスＵＩＤの装置識別部分（例えばＤＩＣＯＭ―ＵＩＤ―ＲＯＯＴ）を利用  
（３―１）ＤＩＣＯＭ―ＵＩＤ―ＲＯＯＴをそのまま利用する  
ＡＥタイトル生成部１６は、入力部１４から入力されたＤＩＣＯＭ―ＵＩＤ―ＲＯＯＴの文字列のデータをそのままＡＥタイトルの文字列のデータとして出力する。このルールの場合、ＤＩＣＯＭ―ＵＩＤ―ＲＯＯＴとＡＥタイトルとは、例えば、以下の通りである。  
ＤＩＣＯＭ―ＵＩＤ―ＲＯＯＴ：１．２．３９２．２０００３６．９１１６．２．１．１００１  
ＡＥタイトル：１．２．３９２．２０００３６．９１１６．２．１．１００１
（３―２）ＤＩＣＯＭ―ＵＩＤ―ＲＯＯＴをハッシュ演算してサービスクラス情報を付加する  
ＡＥタイトル生成部１６は、入力部１４から入力されたＤＩＣＯＭ―ＵＩＤ―ＲＯＯＴの文字列のデータをハッシュ演算してハッシュ値のデータを算出する。次にＡＥタイトル生成部１６は、算出されたハッシュ値を表す文字列のデータにサービスクラス情報を表す文字列のデータを付加する。そしてＡＥタイトル生成部１６は、サービスクラス情報の文字列のデータが付加されたＤＩＣＯＭ―ＵＩＤ―ＲＯＯＴの文字列のデータをＡＥタイトルの文字列のデータとして出力する。このルールの場合、ＤＩＣＯＭ―ＵＩＤ―ＲＯＯＴとＡＥタイトルとは、例えば、以下の通りである。  
ＤＩＣＯＭ―ＵＩＤ―ＲＯＯＴ：１．２．３９２．２０００３６．９１１６．２．１．１００１  
Storage―ＳＣＵ―ＡＥタイトル：１ｅ３１９ｃ５ｄ＿ＳＴ＿ＳＣＵ  
Storage―ＳＣＰ―ＡＥタイトル：１ｅ３１９ｃ５ｄ＿ＳＴ＿ＳＣＰ
（４）医療施設名、組織識別情報、ベンダ識別情報、モダリティ種別情報、サービスクラス、連番を利用  
まず、ＡＥタイトル生成部１６は、入力部１４から入力された医療施設名、組織識別情報、ベンダ識別情報、モダリティ種別情報、及びサービスクラスの文字列のデータを組み合わせる。ＡＥタイトル生成部１６は、組み合わされた文字列のデータに数字のデータを付加する。この数字は、連番になっている。すなわち、異なるＡＥタイトルには、異なる数字が付加される。そしてＡＥタイトル生成部１６は、数字が付加された文字列のデータをＡＥタイトルの文字列のデータとして出力する。このルールの場合、医療施設名、組織識別情報、ベンダ識別情報、モダリティ種別情報、及びサービスクラスと、ＡＥタイトルとは、例えば、以下の通りである。  
医療施設名：ＴＯＣＨＩＧＩ  
組織識別情報：Ｒａｄ  
ベンダ識別情報：Ｖｅｎｄｏｒ  
モダリティ種別情報：ＣＴ  
サービスクラス：Ｓｔｏｒａｇｅ  
Storage―ＳＣＵ―ＡＥタイトル：ＴＯＣＨＩＧＩ＿Ｒａｄ＿Ｖｅｎｄｏｒ＿ＣＴ＿ＳＴ＿ＳＣＵ＿０１  
Storage―ＳＣＰ―ＡＥタイトル：ＴＯＣＨＩＧＩ＿Ｒａｄ＿Ｖｅｎｄｏｒ＿ＣＴ＿ＳＴ＿ＳＣＰ＿０１
上記のＡＥタイトルの生成処理のルールは、一例であって、上記のルールのみに限定されない。すなわち、上記の（１）、（２）、（３）、及び（４）のルールを組み合わせてもよいし、各ルールに含まれる生成処理の要素を組み合わせたり削除したりしても良い。例えば、ルール（４）の装置特定情報の幾つかを削除してもよい。また、ルール（４）の装置特定情報に対応する文字列のデータにＩＰアドレスやネットワークインタフェースカード識別情報、ＤＩＣＯＭインスタンスＵＩＤの装置識別部分に対応する文字列のデータを付加してもよい。また、ルール（１）のＩＰアドレスの文字列のデータや、（２）ネットワークインタフェースカード識別情報の文字列のデータをハッシュ演算してもよい。また、ＩＰアドレスに対応する文字列のデータ、ネットワークインタフェースカード識別情報に対応する文字列のデータ、及びＤＩＣＯＭインスタンスＵＩＤに対応する文字列のデータの少なくとも２つを組み合わせてＡＥタイトルを生成してもよい。また。（１）のＩＰアドレス、ネットワークインタフェースカード識別情報、又はＤＩＣＯＭインスタンスＵＩＤに対応する文字列のデータに装置種別情報、医療施設名、組織識別情報、ベンダ識別情報、サービスクラス情報、診療科情報、モダリティ種別情報、及び装置シリアルナンバの少なくとも１つに対応する文字列のデータを付加してもよい。
【００２５】
次に装置特定情報やＡＥタイトルの生成指示を入力するための通信設定画面について説明する。図３は、表示部１２により表示される通信設定画面３０の一例を示す図である。図３に示すように、通信設定画面３０は、ＩＰアドレスの入力／表示欄３１、ＡＥタイトル入力／表示欄３２、ポート番号入力／表示欄３３、装置特定情報入力／表示欄３４、生成ボタン３５、保存ボタン３６を有する。
【００２６】
通信設定画面３０が表示されると操作者は、入力部１４を介してＩＰアドレス入力／表示欄３１にＩＰアドレスを入力し、生成ボタン３５を押す。また、必要であれば、ＩＰアドレスに加え、装置特定情報入力／表示欄３４にネットワークインタフェースカード識別情報、ＤＩＣＯＭインスタンスＵＩＤ、装置種別情報、医療施設名、組織識別情報、ベンダ識別情報、サービスクラス情報、診療科情報、モダリティ種別情報、及び装置シリアルナンバ等の少なくとも１つの装置特定情報が入力部１４を介して入力されてもよい。生成ボタン３５が押されたことを契機としてＡＥタイトル生成部１６は、上述の生成ルールを用いてＡＥタイトルを生成する。生成されたＡＥタイトルは、表示部１２によりＡＥタイトル入力／表示欄３２に表示される。なお、よく知られているように、ＤＩＣＯＭ通信に係わるポート番号は、１０４番が用いられている。しかし、入力されるポート番号は、１０４番に限定されず、他のいかなる番号でもよい。
【００２７】
操作者は、表示されたＡＥタイトルを確認して、入力部１４を介して保存ボタン３６を押す。保存ボタンが押されたことを契機として、通信設定部１８は、生成されたＡＥタイトルを自装置のＡＥタイトルに設定する。設定されたＡＥタイトル文字列データは、通信設定情報記憶部２０において、自装置のＩＰアドレスとポート番号との文字列データに関連付けられて記憶される。
【００２８】
また、上記の通信設定画面３０は、装置特定情報の入力／表示欄３４を有するとした。しかしながら、通信設定画面３０はこれに限定されない。例えば、通信設定画面３０は、装置特定情報の入力／表示欄３４の替わりに、ネットワークインタフェースカード識別情報の入力／表示欄、ＤＩＣＯＭインスタンスＵＩＤの入力／表示欄、医療施設名の入力／表示欄、組織識別情報の入力／表示欄、ベンダ識別情報の入力／表示欄、モダリティ種別情報の入力／表示欄、及びサービスクラス情報の入力／表示欄等を有するとしてもよい。ＡＥタイトル生成部１６は、これら入力／表示欄に入力された装置特定情報に基づいてＡＥタイトルを生成する。
【００２９】
本実施形態に係わる医用通信装置１０は、全世界において単一性の高いＩＰアドレス、ネットワークインタフェースカード識別情報、及びＤＩＣＯＭインスタンスＵＩＤの装置識別部分の少なくとも１つを利用して、ＡＥタイトルを生成する。従って、生成されるＡＥタイトルは、施設内ネットワーク又は施設外ネットワークにおいて単一性が非常に高い。また、医用通信装置１０は、装置種別情報、医療施設名、組織識別情報、ベンダ識別情報、サービスクラス情報、診療科情報、モダリティ種別情報、及び装置シリアルナンバ等の自装置を特定するための所在や役割を表す情報に連番を付加することによって、高い単一性を有するＡＥタイトルを生成することも可能である。
【００３０】
かくして本実施形態に係わる医用通信装置１０は、ＤＩＣＯＭ規格に係わる通信設定の手間の削減を可能とする。
【００３１】
（変形例）
本実施形態におけるＡＥタイトル生成部１６は、各医用通信装置１０に含まれるとした。しかしながらこれに限定する必要はない。例えば、ＡＥタイトル生成部１６は、医用通信装置１０ではなく、施設内ネットワークを介して医用通信装置の通信設定を行なう医用通信設定装置に含まれていても良い。以下、変形例に係わる医用通信設定装置を説明する。なお以下の説明において、本実施形態と略同一の機能を有する構成要素については、同一符号を付し、必要な場合にのみ重複説明する。
【００３２】
図４は、変形例に係わる医用通信設定装置５０のネットワークの接続環境を示す図である。図４に示すように、医用施設の各施設内ネットワークには、複数の医用通信装置１０の他に、少なくとも一台の医用通信設定装置５０―Ａ，５０―Ｂ，５０―Ｃが接続されている。各医用通信設定装置５０―Ａ，５０―Ｂ，５０―Ｃは、自装置に関する施設内ネットワークに接続されている医用通信装置の通信設定を行なう。より具体的には、各医用通信設定装置５０―Ａ，５０―Ｂ，５０―Ｃは、医用通信装置１０のＡＥタイトルを生成し、生成されたＡＥタイトルをその医用通信装置のＡＥタイトルに設定する。なお、変形例に係わる医用通信装置は、ＡＥタイトル生成部１６を含んでいない。
【００３３】
以下、特に区別しない限り、医用通信設定装置５０―Ａ，５０―Ｂ，５０―Ｃをまとめて医用通信設定装置５０と呼ぶことにする。
【００３４】
図５は、変形例に係わる医用通信設定装置５０の構成を示す図である。図５に示すように、医用通信設定装置５０は、表示部５２、入力部５４、ＡＥタイトル生成部５６、通信設定部５８、通信設定情報記憶部６０、及びＤＩＣＯＭ通信部６２を有する。
【００３５】
表示部５２は、通信設定をするための通信設定画面を表示する。この通信設定画面は、生成対象の医用通信装置の通信設定情報（生成対象の医用通信装置のＩＰアドレス、生成対象の医用通信装置置のＡＥタイトル、ポート番号）を入力したり、表示したりする画面である。また、通信設定画面は、ＡＥタイトルを生成するための装置特定情報の入力画面としても機能する。
【００３６】
入力部５４は、ＡＥタイトルの生成対象である医用通信装置１０に関する装置特定情報を入力する。入力方法としては、上述の医用通信設定装置１０に設けられた入力デバイスを介して入力する方法や、ネットワークを介して当該医用通信装置１０から入力する方法がある。
【００３７】
ＡＥタイトル生成部５６は、入力された生成対象の医用通信装置に関する装置特定情報から上述の方法を用いて、生成対象の医用通信装置のＡＥタイトルを生成する。連番を用いてＡＥタイトルを生成する場合、ＡＥタイトル生成部５６は、後述する通信設定情報記憶部２０に記憶されている複数の医用通信装置１０のＡＥタイトルとの整合を問い合わせ、必要に応じて連番を増番する。
【００３８】
通信設定部５８は、生成されたＡＥタイトルを生成対象の通信設定情報に設定したり、更新したりする。通信設定情報記憶部６０は、少なくとも自装置に関する施設内ネットワークに接続されている医用通信装置の通信設定情報を記憶する。ＤＩＣＯＭ通信部６２は、通信設定情報記憶部６０に記憶されている生成対象の医用通信装置１０に関する通信設定情報を読み出して、施設内ネットワーク又は施設外ネットワークを介してその医用通信装置１０に送信する。
【００３９】
かくして本実施形態の変形例に係わる医用通信設定装置５０は、ＤＩＣＯＭ規格に係わる通信設定の手間の削減を可能とする。
【００４０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４１】
【図１】本発明の実施形態に係わる医用通信装置のネットワークの接続環境を示す図。
【図２】図１の医用通信装置の構成を示す図。
【図３】図２の表示部に表示される通信設定画面の一例を示す図。
【図４】本実施形態の変形例に係わる医用通信設定装置のネットワークの接続環境を示す図。
【図５】図４の医用通信設定装置の構成を示す図。
【符号の説明】
【００４２】
１０…医用通信装置、１２…表示部、１４…入力部、１６…ＡＥタイトル、１８…通信設定部、２０…通信設定情報記憶部、２２…ＤＩＣＯＭ通信部
【図１】
2010119503.tif 000003
【図２】
2010119503.tif 000004
【図３】
2010119503.tif 000005
【図４】
2010119503.tif 000006
【図５】
2010119503.tif 000007